(57)【要約】【課題】一括ゴム栓の電線貫通孔の内面が端子金具から損傷を受けるのを防ぐ。【解決手段】端子金具１０は、リアホルダ４０の端子挿入口４１から一括ゴム栓の電線貫通孔３２を弾性的に拡開して貫通しつつキャビティ２４内に収容され、かつ端子金具１０が通過したのちは電線貫通孔３２が復元縮径することで電線ｗの外周に密着してシールが採られるようにした防水コネクタＣにおいて、リアホルダ４０の端子挿入口４１の内面には、端子金具１０の挿入方向の前方に延出された片持ち状をなし、かつその延出端５１Ａがリアホルダ４０の前面から突出して電線貫通孔３２の後端部の内面３６に当接可能な弾性押圧片５０が設けられており、端子金具１０が通過する過程では、同端子金具１０の本体部１１の外面１５，１６が弾性押圧片５０を押して弾性撓みさせるようになっている。【選択図】図１５
2015095422.tif 000002
【特許請求の範囲】
【請求項１】
略角筒状の本体部を有し電線の端末に接続された端子金具と、
前記端子金具を収容可能なキャビティが複数形成されたハウジングと、
前記キャビティと対応して複数の電線貫通孔が形成され前記ハウジングの後面に配される一括ゴム栓と、
前記電線貫通孔と対応して複数の端子挿入口が形成され前記一括ゴム栓を保持するために前記ハウジングに装着されるリアホルダと、が備えられ、
前記端子金具は、前記リアホルダの前記端子挿入口から前記一括ゴム栓の前記電線貫通孔を弾性的に拡開して貫通しつつ前記キャビティ内に収容され、かつ前記端子金具が通過したのちは前記電線貫通孔が復元縮径することで前記電線の外周に密着して防水されるようにした防水コネクタにおいて、
前記リアホルダの前記端子挿入口の内面には、前記端子金具の挿入方向の前方に延出された片持ち状をなし、かつその延出端が前記リアホルダの前面から突出して前記電線貫通孔の後端部の内面に当接可能な弾性押圧片が設けられており、
前記端子金具が通過する過程では、同端子金具の前記本体部の外面が前記弾性押圧片を押して弾性撓みさせるようになっていることを特徴とする防水コネクタ。
【請求項２】
前記端子金具の前記本体部の一外面には逆挿入防止用のスタビライザが突出形成されているとともに、前記リアホルダの前記端子挿入口の一内面には、前記スタビライザが挿通可能な前後方向を向いたガイド溝が形成されており、
前記弾性押圧片が、前記ガイド溝の途中位置から連続して前方に延出した形態で形成されていることを特徴とする請求項１記載の防水コネクタ。
【請求項３】
前記ガイド溝は、前記弾性押圧片を強制的に弾性撓みさせる治具が挿入可能な治具挿入部を兼ねていることを特徴とする請求項２記載の防水コネクタ。
【発明の詳細な説明】
【技術分野】
【０００１】
本発明は、一括ゴム栓を備えた防水コネクタに関する。
【背景技術】
【０００２】
従来、この種の防水コネクタの一例として、端子金具を収容可能なキャビティが複数設けられたハウジングの後面に、各キャビティと対応して複数の電線貫通孔（シール孔）が形成された一括ゴム栓（シール部材）が配されて、電線貫通孔と対応して複数の端子挿入口が形成されたリアホルダ（シールホルダ）で保持された構造になり、端子金具は、リアホルダの端子挿入口から一括ゴム栓の電線貫通孔を弾性的に拡開して貫通しつつキャビティ内に収容され、端子金具が通過したのちは電線貫通孔が復元縮径することで電線の外周に密着してシールが採られるようにしたものが知られている（下記特許文献１参照）。
【先行技術文献】
【特許文献】
【０００３】
【特許文献１】特開２０００−２９９１６１号公報
【発明の概要】
【発明が解決しようとする課題】
【０００４】
上記従来のものでは、端子金具の略角筒状をなす本体部が、一括ゴム栓の電線貫通孔を押し広げつつ貫通することになるため、特に本体部が電線径と比べて大型であったり、スタビライザ等の本体部の外面から突出した部分があると、本体部の角部や、突出部が電線貫通孔の内面に食い込む等により、亀裂等の損傷を与えるおそれがある。電線貫通孔の内面に損傷があると、電線の外周に対する密着性が低下してシール機能が劣化するため、その対策が切望されていた。
本発明は上記のような事情に基づいて完成されたものであって、その目的は、一括ゴム栓の電線貫通孔の内面が端子金具から損傷を受けるのを防ぐところにある。
【課題を解決するための手段】
【０００５】
本発明は、略角筒状の本体部を有し電線の端末に接続された端子金具と、前記端子金具を収容可能なキャビティが複数形成されたハウジングと、前記キャビティと対応して複数の電線貫通孔が形成され前記ハウジングの後面に配される一括ゴム栓と、前記電線貫通孔と対応して複数の端子挿入口が形成され前記一括ゴム栓を保持するために前記ハウジングに装着されるリアホルダと、が備えられ、前記端子金具は、前記リアホルダの前記端子挿入口から前記一括ゴム栓の前記電線貫通孔を弾性的に拡開して貫通しつつ前記キャビティ内に収容され、かつ前記端子金具が通過したのちは前記電線貫通孔が復元縮径することで前記電線の外周に密着して防水されるようにした防水コネクタにおいて、前記リアホルダの前記端子挿入口の内面には、前記端子金具の挿入方向の前方に延出された片持ち状をなし、かつその延出端が前記リアホルダの前面から突出して前記電線貫通孔の後端部の内面に当接可能な弾性押圧片が設けられており、前記端子金具が通過する過程では、同端子金具の前記本体部の外面が前記弾性押圧片を押して弾性撓みさせるようになっているところに特徴を有する。
【０００６】
端子金具がリアホルダの端子挿入口に挿入されると、本体部の外面が弾性押圧片上を通過して同弾性押圧片を弾性撓みさせることにより、一括ゴム栓の電線貫通孔の後端部が拡開され、引き続き本体部は拡開状態となった後端部から電線貫通孔を貫通してキャビティに押し込まれる。端子金具の通過後は、弾性押圧片ともども電線貫通孔が復元縮径する。
一括ゴム栓の電線貫通孔の後端部が拡開した状態で端子金具の本体部が挿通されるから、本体部の食い込み等により電線貫通孔の内面に切れ等の損傷が加わることが回避される。
【０００７】
また、以下のような構成としてもよい。
（１）前記端子金具の前記本体部の一外面には逆挿入防止用のスタビライザが突出形成されているとともに、前記リアホルダの前記端子挿入口の一内面には、前記スタビライザが挿通可能な前後方向を向いたガイド溝が形成されており、前記弾性押圧片が、前記ガイド溝の途中位置から連続して前方に延出した形態で形成されている。
端子金具は、スタビライザがガイド溝で案内されつつリアホルダの端子挿入口に挿入され、挿入の途中でスタビライザが弾性押圧片を弾性撓みさせて一括ゴム栓の電線貫通孔の後端部を拡開するとともに、スタビライザが弾性撓みした弾性押圧片上を通過しつつ本体部が電線貫通孔を貫通する。スタビライザによる電線貫通孔の内面の損傷を防止できる。
【０００８】
（２）前記ガイド溝は、前記弾性押圧片を強制的に弾性撓みさせる治具を挿入可能な治具挿入部を兼ねている。
メンテナンス等に際して端子金具をキャビティから引き抜くに当たり、ガイド溝に治具を入れて弾性押圧片を強制的に弾性撓みさせると、スタビライザが弾性押圧片の先端に引っ掛かることが回避されて、端子金具を一括ゴム栓の電線貫通孔をスムーズに通過させつつ引き抜くことが可能となる。
【発明の効果】
【０００９】
本発明によれば、一括ゴム栓の電線貫通孔の内面が端子金具から損傷を受けるのを防止することができる。
【図面の簡単な説明】
【００１０】
【図１】本発明の一実施形態の防水コネクタにおける雌端子挿入前の状態の前方から視た斜視図
【図２】同後方から見た斜視図
【図３】同正面図
【図４】同背面図
【図５】同縦断面図
【図６】リアホルダの前方から視た斜視図
【図７】同後方から見た斜視図
【図８】同正面図
【図９】同背面図
【図１０】同側面図
【図１１】図９のXI−XI線拡大断面図
【図１２】雌端子の挿入部分の構造を示す部分斜視断面図
【図１３】雌端子がリアホルダの端子挿入口に挿入された状態の部分断面図
【図１４】雌端子が一括ゴム栓の電線貫通孔を貫通する状態の部分断面図
【図１５】スタビライザが弾性押圧片を押圧している状態の部分断面図
【図１６】雌端子がキャビティに正規挿入された状態の部分断面図
【発明を実施するための形態】
【００１１】
＜実施形態＞
以下、本発明の一実施形態を図１ないし図１６に基づいて説明する。  
本実施形態の防水コネクタＣは、図５及び図１２に示すように、電線ｗの端末に接続された雌端子１０と、同雌端子１０を収容可能なキャビティ２４が複数形成された雌ハウジング２０と、キャビティ２４と対応して複数の電線貫通孔３２が形成され雌ハウジング２０の後面に配される一括ゴム栓３０と、電線貫通孔３２と対応して複数の端子挿入口４１が形成され一括ゴム栓３０を保持するべく雌ハウジング２０に装着されるリアホルダ４０と、を備えて構成されている。  
なお、雌ハウジング２０には、相手の雄ハウジング（図示せず）との間の嵌合力を助勢するためのレバー２９が装着されている。
【００１２】
雌端子１０は、導電性に優れた金属板をプレス加工して形成され、図１２及び図１３に示すように、角筒状をなす本体部１１の後方にバレル１２が設けられた構造であって、バレル１２が電線ｗの端末にかしめられることで接続されている。本体部１１には、相手の雄端子（図示せず）のタブが前方から挿入可能であり、同本体部１１内にはタブに弾性接触する弾性接触片１３が設けられている。
【００１３】
雌端子１０の本体部１１の天面における先端寄りの位置には、キャビティ２４内に設けられたランス２５に係止する係止突部１５が突出形成されている。なお、本実施形態では、雌端子１０は上下反転した姿勢でキャビティ２４内に挿入されるため、各図においては、本体部１１の天面が下側に位置している。  
また、雌端子１０が上下反転姿勢を採った場合における本体部１１の天面の正面視で左側縁の後端位置には、雌端子１０の逆挿入防止用のスタビライザ１６が突出形成されている。
【００１４】
雌ハウジング２０は合成樹脂製であって２ピースから構成されており、図１ないし図５に示すように、全体として略方形のブロック状をなし、前側部分が端子収容部２１とされているとともに、後側部分が後面開口の収容凹部２２とされている。同収容凹部２２内には、後記するように、一括ゴム栓３０とリアホルダ４０とが収容されるようになっている。
【００１５】
端子収容部２１には、上記した電線ｗの端末に圧着された雌端子１０を収容するべく前後方向を向いたキャビティ２４が、複数個（図示８個）ずつ４段に亘って整列して形成されている。なお、下から１段目と２段目のキャビティ２４の列の間は、間隔が狭くされている。
各キャビティ２４の底面における前端寄りの位置には、雌端子１０の本体部１１の係止突部１５に一次係止するランス２５が形成されている。
【００１６】
端子収容部２１におけるランス２５の形成位置の後方位置には、リテーナ２７が下面側から挿入されるリテーナ挿入孔２８が設けられている。リテーナ２７は、雌端子１０が挿入される前には、雌端子１０の進入を許容する仮係止位置に保持され（図５参照）、雌端子１０が正規位置に挿入された後には、本係止位置に押し込まれて雌端子１０に二次係止して抜け止めを図るようになっている（図１６参照）。
【００１７】
雌ハウジング２０の後側部分には、既述したように、一括ゴム栓３０とリアホルダ４０とが収容される収容凹部２２が形成されている。収容凹部２２は、図４に示すように、背面視で四隅に丸みが付けられた略方形状をなしている。
一括ゴム栓３０は、図５に示すように、収容凹部２２の奥側に緊密に嵌合される略方形の厚板状に形成されている。一括ゴム栓３０の外周には、２条の外周リップ３１が形成されている。
【００１８】
一括ゴム栓３０には、複数の電線貫通孔３２が、上記したキャビティ２４と対応した配列において、前後に貫通した形態で形成されている。各電線貫通孔３２の長さ方向の中央部には、図示２条の内周リップ３３が形成されている。同内周リップ３３は、挿通された電線ｗの外周に弾性的に密着可能となっている。
各電線貫通孔３２の前後両端部の内面は、前方または後方に向けて次第に拡径したテーパ状に形成されているが、上側が傾斜が緩いテーパ面３５であるのに対して、下側が傾斜が急なテーパ面３６とされている。
【００１９】
リアホルダ４０は合成樹脂製であって、図６ないし図１１に示すように、全体として略方形で、かつ一括ゴム栓３０よりも少し厚い厚板状に形成されており、収容凹部２２の開口側に略緊密に嵌合可能となっている。
上記の一括ゴム栓３０とリアホルダ４０とが前後に重ねられた場合の厚さが収容凹部２２の奥行きに匹敵し、言い換えると、一括ゴム栓３０とリアホルダ４０とが前後に重なった形態で、収容凹部２２内にほぼすっぽりと嵌って収容可能となっている。
【００２０】
リアホルダ４０には、雌端子１０を挿入可能な複数の端子挿入口４１が、一括ゴム栓３０の電線貫通孔３２に対応した配列において、前後に貫通した形態で形成されている。
各端子挿入口４１は基本的には、雌端子１０の本体部１１（係止突部１５とスタビライザ１６とを含む）が干渉することなく挿通可能な断面形状を備えている。詳細には、図８の下から２段目の端子挿入口４１に示すように、本体部１１の外形に対応した方形断面の挿入室４２が設けられているとともに、挿入室４２の底面の中央幅位置には、係止突部１５を嵌めて逃がす前後方向を向いた逃がし溝４３が形成され、また、同逃がし溝４３の正面視で左隣りには、スタビライザ１６を挿通可能とした前後方向を向いたガイド溝４４が、一段深くなった形態で連設されている。
【００２１】
リアホルダ４０の左右両側面の前縁部には、上下２個ずつのロック突部４６が突出形成されているとともに、収容凹部２２の左右の側壁には、図４に示すように、リアホルダ４０が一括ゴム栓３０の後面に重なる正規位置まで押し込まれたところでロック突部４６が嵌って係止するロック孔２２Ａが形成されている。
【００２２】
さて、リアホルダ４０に設けられた端子挿入口４１のうち、下から１段目、３段目及び４段目の端子挿入口４１の底面には、図６，図１１及び図１２に示すように、電線貫通孔３２の後端部の内面を押圧して同後端部を拡開することに機能する弾性押圧片５０が一体的に形成されている。
【００２３】
この弾性押圧片５０は、図１１に示すように、端子挿入口４１の底面における長さ方向の略中央位置から、前方に向けて片持ち状に延出した形態で形成されている。より詳細には弾性押圧片５０は、図８に示すように、端子挿入口４１の約８０％の幅を有し、同端子挿入口４１の正面視で左側壁に寄った位置に形成されており、図１１の上段に示すように、その上面が端子挿入口４１（挿入室４２）の底面と連続するようにして前方に向けて延出されたのち、先端側が斜め上方に向けて反った傾斜状に形成され、この傾斜部５１のさらに先端部（以下、押圧部５１Ａ）が、端子挿入口４１の前面から前方に突出している。押圧部５１Ａの下面は、一括ゴム栓３０に形成された電線貫通孔３２の後端部における下側の急傾斜のテーパ面３６とほぼ同じ傾斜角に形成されている（図１３参照）。
端子挿入口４１における弾性押圧片５０の下面側には、同弾性押圧片５０が下方に弾性撓みすることを許容する撓み許容空間５２が確保されている。
【００２４】
弾性押圧片５０の上面における幅方向の中央部には、図６及び図１１の中段に示すように、雌端子１０の本体部１１に設けられた係止突部１５が摺接する第１摺接溝５３が、先端の少し手前の位置まで若干凹んだ形態で形成されている。同第１摺接溝５３の溝底が、上記した逃がし溝４３の溝底と段差なく連なっている。
また、弾性押圧片５０における正面視で左側縁部には、図１１の下段に示すように、雌端子１０のスタビライザ１６が摺接する第２摺接溝５４が、さらに凹んだ形態で全長に亘って形成されている。同第２摺接溝５４の溝底が、上記したガイド溝４４の溝底と段差なく連なっている。
【００２５】
続いて、本実施形態の防水コネクタＣの組み付け手順の一例を説明する。
まず、雌ハウジング２０の後面に設けられた収容凹部２２内に、一括ゴム栓３０とリアホルダ４０とが収容される。一括ゴム栓３０は、外周リップ３１を弾縮しつつ収容凹部２２内に押し込まれ、収容凹部２２の奥面すなわち端子収容部２１の後面に当たったところで押し込みが停止される。
【００２６】
次に、リアホルダ４０が嵌合される。リアホルダ４０は、左右のロック突部４６が収容凹部２２の左右の側壁を弾性的に広げつつ押し込まれ、一括ゴム栓３０の後面に当たる正規位置まで押し込まれると、左右の側壁が復元変位しつつロック突部４６が同側壁に開口されたロック孔２２Ａに嵌り、リアホルダ４０は、その後面が収容凹部２２の開口後面と面一となるようにすっぽりと嵌った形態で抜け止め状態にロックされる。それに伴い、一括ゴム栓３０の収容凹部２２からの抜け止めが図られる。
【００２７】
リアホルダ４０がロックされた状態では、図５に示すように、リアホルダ４０の各端子挿入口４１が、一括ゴム栓３０の対応する電線貫通孔３２の後方に整合して連なる。また、下から１段目、３段目及び４段目の端子挿入口４１の底面には、弾性押圧片５０が形成されているが、各弾性押圧片５０におけるリアホルダ４０の前面から突出した押圧部５１Ａが、対応する電線貫通孔３２の後端部内に突入し、下側の急なテーパ面３６にほぼ整合して当てられる。
それとともに、リテーナ２７が仮係止位置に組み付けられ（図５）、またレバー２９が回動初期位置に組み付けられる（図１）。
【００２８】
この状態から、電線ｗの端末に接続された雌端子１０が、雌ハウジング２０の対応するキャビティ２４内に収容される。
雌端子１０は、図１２及び図１３に示すように、スタビライザ１６が下方を向いた上下反転姿勢を採って、リアホルダ４０の対応する端子挿入口４１に後方から挿入される。
【００２９】
以下、雌端子１０の挿入過程を、雌ハウジング２０に設けられた一番下の段のキャビティ２４を例に採って、図１３ないし図１６により詳細に説明する。
雌端子１０が上記のように上下反転姿勢が採られると、本体部１１の天面における前端寄りの中央幅位置に係止突部１５が、正面視で左側縁の後端にスタビライザ１６がそれぞれ位置する。係る姿勢で雌端子１０の本体部１１がリアホルダ４０の端子挿入口４１に後方から挿入されると、係止突部１５が端子挿入口４１の底面の逃がし溝４３に沿うようにして押し込まれ、図１３に示すように、本体部１１が端子挿入口４１の奥端付近に達すると、係止突部１５が弾性押圧片５０の上面の第１摺接溝５３に基端側から乗り上げて、同弾性押圧片５０を少し下方に弾性撓みさせ、これに伴い一括ゴム栓３０の電線貫通孔３２における後端部の下側のテーパ面３６が、押圧部５１Ａで押されることにより少し拡開される。
【００３０】
引き続き押し込まれると、係止突部１５が弾性押圧片５０の押圧部５１Ａ上を摺接し、それに伴い弾性押圧片５０を下方に弾性撓みさせて電線貫通孔３２の後端部のテーパ面３６をさらに拡開しながら、本体部１１が電線貫通孔３２内に押し込まれる。係止突部１５が弾性押圧片５０の押圧部５１Ａを通過したところで、弾性押圧片５０は元の姿勢近くまで戻され、図１４に示すように、引き続いて係止突部１５ともども本体部１１が電線貫通孔３２内に押し込まれる。
この間にスタビライザ１６が、端子挿入口４１の底面に形成されたガイド溝４４に沿って進入し、図１４に示すように、本体部１１の先端が電線貫通孔３２の前端面付近に達すると、スタビライザ１６が、ガイド溝４４に続いて弾性押圧片５０の上面における第２摺接溝５４（図１５参照）に基端側から乗り上げる。
【００３１】
さらに押し込まれると、図１５に示すように、スタビライザ１６が弾性押圧片５０の上面の第２摺接溝５４を先端に向けて摺接し、それに伴い弾性押圧片５０を下方に弾性撓みさせて、押圧部５１Ａにより電線貫通孔３２の後端部のテーパ面３６を大きく拡開しながら本体部１１が電線貫通孔３２内に押し込まれ、スタビライザ１６ともども本体部１１が電線貫通孔３２内を通過する。
【００３２】
雌端子１０は電線貫通孔３２を通過することに続いて、キャビティ２４内に後端側から挿入され、図１６に示すように、正規位置まで挿入されたところでランス２５が係止突部１５に係止して一次係止され、続いてリテーナ２７を本係止位置に押し込むことで二次係止され、雌端子１０は強固に抜け止めされてキャビティ２４内に収容される。そのとき、同雌端子１０に接続された電線ｗの外周に、一括ゴム栓３０における電線貫通孔３２の内周リップ３３が弾性的に密着し、各キャビティ２４の後端における防水が図られることになる。
【００３３】
メンテナンス等において、雌端子１０を雌ハウジング２０のキャビティ２４から外す場合は、図１６に示す状態から、リテーナ２７を仮係止位置に戻したのち、ランス押し下げ用治具によりランス２５を強制的に弾性撓みさせて係止を解除した状態で、電線ｗを後方に引っ張る。このとき、リアホルダ４０の端子挿入口４１のガイド溝４４（図１５）に、弾性押圧片押し下げ用の治具（図示せず）を挿入し、同治具の先端で弾性押圧片５０の第２摺接溝５４を押して同弾性押圧片５０を下方に弾性撓みさせておくと、スタビライザ１６や係止突部１５が弾性押圧片５０の押圧部５１Ａに引っ掛かるのを避けつつ、雌端子１０の本体部１１を電線貫通孔３２内を後方に向けて比較的スムーズに通過させることができ、ひいては雌端子１０の引き抜き作業がスムーズに行われる。すなわち、リアホルダ４０の端子挿入口４１のガイド溝４４が、弾性押圧片押し下げ用の治具を挿入可能な治具挿入部を兼ねている。
【００３４】
以上のように本実施形態によれば、リアホルダ４０の端子挿入口４１の内面における雌端子１０の係止突部１５やスタビライザ１６の通過領域に、弾性撓み可能な弾性押圧片５０が、その先端の押圧部５１Ａを一括ゴム栓３０の電線貫通孔３２の後端部内に突入させてテーパ面３６に当てた形態で配された構造としたから、雌端子１０の係止突部１５やスタビライザ１６が電線貫通孔３２に進入する手前で、係止突部１５やスタビライザ１６が弾性押圧片５０に乗り上げて弾性撓みさせることにより電線貫通孔３２の後端部が拡開され、引き続き係止突部１５やスタビライザ１６が、拡開状態となった後端部から弾性押圧片５０を乗り越えつつ電線貫通孔３２を貫通してキャビティ２４に押し込まれる。これにより、雌端子１０の係止突部１５やスタビライザ１６が電線貫通孔３２の内面に食い込むことが極力避けられ、電線貫通孔３２の内面に切れ等の損傷が加わることが防止される。
【００３５】
＜他の実施形態＞
本発明は上記記述及び図面によって説明した実施形態に限定されるものではなく、例えば次のような実施形態も本発明の技術的範囲に含まれる。  
（１）上記実施形態では、雌端子の本体部の外面から突出した部分として、スタビライザと、ランスに対する係止突部とを例示したが、スタビライザのみが形成されたものについても、同様に適用可能である。  
（２）スタビライザの形成位置は、上記実施形態に例示した本体部の側縁に限らず、本体部の中央幅位置等、任意である。
【００３６】
（３）雌端子の本体部の外面にスタビライザ、係止突部ともに設けられていない場合であっても、本体部が略角筒状をなしていれば、本体部の４角の部分が電線貫通孔の内面に食い込む可能性が考えられることにより、弾性押圧片を本体部の４角の通過位置に設けることでも、電線貫通孔の内面の切れ防止に有効となり、したがって、そのようなものも本発明の技術的範囲に含まれる。  
（４）本発明は、雄端子を一括ゴム栓を貫通して雄ハウジングのキャビティ内に収容する形式の雄側の防水コネクタにも、同様に適用することができる。
【符号の説明】
【００３７】
Ｃ…防水コネクタ
ｗ…電線
１０…雌端子（端子金具）
１１…本体部
１５…係止突部
１６…スタビライザ
２０…雌ハウジング（ハウジング）
２１…端子収容部
２２…収容凹部
２４…キャビティ
３０…一括ゴム栓
３２…電線貫通孔
３６…テーパ面（電線貫通孔３２の後端部の内面）
４０…リアホルダ
４１…端子挿入口
４３…逃がし溝
４４…ガイド溝（治具挿入部）
５０…弾性押圧片
５１Ａ…押圧部
５３…第１摺接溝
５４…第２摺接溝
【図１】
2015095422.tif 000003
【図２】
2015095422.tif 000004
【図３】
2015095422.tif 000005
【図４】
2015095422.tif 000006
【図５】
2015095422.tif 000007
【図６】
2015095422.tif 000008
【図７】
2015095422.tif 000009
【図８】
2015095422.tif 000010
【図９】
2015095422.tif 000011
【図１０】
2015095422.tif 000012
【図１１】
2015095422.tif 000013
【図１２】
2015095422.tif 000014
【図１３】
2015095422.tif 000015
【図１４】
2015095422.tif 000016
【図１５】
2015095422.tif 000017
【図１６】
2015095422.tif 000018